(57)【特許請求の範囲】
【請求項１】
住戸外に居る来訪者が住戸内に在室中の居住者を呼出すための呼出ボタン（１００）、前記来訪者が前記居住者との間で通話を成立させるための音声信号を送受信する子機マイク（１０２）及び子機スピーカ（１０３）、前記来訪者の映像を撮像して映像信号を生成するためのカメラ（１０１）を有する玄関子機（１）と、前記来訪者による前記玄関子機からの呼出しに前記居住者が応答するための通話ボタン（２００ａ）、前記居住者が前記来訪者との間で通話を成立させるための前記音声信号を送受信する親機マイク（２０２）及び親機スピーカ（２０３）、前記玄関子機の前記カメラにて生成された前記映像信号を出画するためのモニタ（２０１）を有する居室親機（２）と、前記居室親機に接続され、通信ネットワーク（４）を経由した通信が可能な生活情報監視機（３）とを備え、
前記生活情報監視機は、住戸内における人物の動作検知、照明機器のオン／オフ検知、過多な水使用検知等の各種の生活データを検知するための生活情報監視センサ（７）を接続可能な監視機センサ用Ｉ／Ｆ（３０５）と、前記監視機センサ用Ｉ／Ｆにて受信される前記生活データを記憶するためのセンサ履歴メモリ（３０２）と、前記センサ履歴メモリに記憶された生活データを付加した送信メールを生成し、定期的なタイミングで前記通信ネットワークに送出するための監視機ＣＰＵ（３０３）とを備え、
前記生活情報監視機の前記監視機ＣＰＵは、前記監視機センサ用Ｉ／Ｆによる前記生活データの受信の有無を監視し、前記生活データの受信が一定時間以上なかったとき、前記居室親機の前記親機スピーカから緊急警報音及び前記生活情報監視機の応答ボタン（３００ａ）の操作を促すメッセージをそれぞれ出力させると共に、前記居室親機の前記モニタに前記生活情報監視機の前記応答ボタンの操作を促すメッセージを表示させるための緊急信号を生成する機能と、前記応答ボタンの操作の有無を監視し、当該操作が一定時間以上なかったとき、緊急情報データを付加した送信メールを生成して前記通信ネットワークに送出するとともに、前記玄関子機の前記子機スピーカから緊急警報音を出力させる機能とを備え、
前記居室親機は、住戸内における火災やガス漏れ等の各種のセキュリティ異常データを検知するためのセキュリティセンサ（６）を接続可能な親機センサＩ／Ｆ（２１１）を有し、
前記生活情報監視機の前記監視機ＣＰＵは、前記居室親機の前記親機センサＩ／Ｆにて受信される前記セキュリティ異常データを検出したとき、前記セキュリティ異常データを付加した送信メールを生成して前記通信ネットワークに送出するとともに、前記玄関子機の前記子機スピーカから緊急警報音を出力させる機能を有し、
前記居室親機は、前記玄関子機の前記カメラにて生成された前記映像信号を記憶するための録画メモリ（２０６）と、前記親機マイク及び前記親機スピーカにて送受信される前記音声信号を記憶するための録音メモリ（２０７）とを有し、
前記生活情報監視機の前記監視機ＣＰＵは、前記居室親機を経由した前記玄関子機からの呼出しを検出したとき、呼出情報と前記居室親機の前記録画メモリから読出した前記映像信号を付加した送信メールを生成して前記通信ネットワークから所定の外部機器（５）に送出する機能と、前記居室親機の前記録音メモリから読出した前記音声信号を前記通信ネットワークから前記外部機器に送出して出力させる機能とを備えるインターホン装置において、
前記居室親機は、録画、録音された前記映像信号及び前記音声信号を再生させるための再生ボタン（２００ｂ）を有し、
前記生活情報監視機は、前記応答ボタン（３００ａ）の他に、事前登録された発信用登録名を親機用Ｉ／Ｆ（３０４）を介し前記居室親機へ送信して生活監視機Ｉ／Ｆ（２１０）を介して前記モニタに登録名情報を表示するための連絡ボタン（３００ｂ）、録画、録音された前記映像信号及び前記音声信号を再生させるための再生ボタン（３００ｃ）、前記モニタに表示された登録名を確認し、その登録名に対応した数字ボタン押操作で、前記監視機ＣＰＵによって数字に対応した登録番号に発信動作を行なって通話を行なうための数字ボタン（３００ｄ）を有することを特徴とするインターホン装置。
【発明の詳細な説明】
【技術分野】
【０００１】
本発明はインターホン装置に係り、特に、独り暮らしの高齢者（以下「独居高齢者」という。）の安否を確認し、異常時には家族や市役所の管理者等へ報知し、迅速な看護等を可能にしたインターホン装置に関する。
【背景技術】
【０００２】
近年、急速に進む少子高齢化社会の中で独居高齢者の割合が急激に増加している。このような独居高齢者は、万一、当人の住居内等で突発的な疾病や怪我等で倒れた場合、子や孫等の家族に連絡をすることができず、手遅れになる虞があった。一方、家族からすれば、離れて暮らしている独居高齢者の安否が気がかりであるという状況がある。
【０００３】
従来、この種の独居高齢者に対しては、独居高齢者に操作し易いタイプの携帯電話を所持して貰い、万歩計（登録商標）などの生活データを当該携帯電話から市役所の管理者等に自動的にメール送信して貰う等の対応がとられていた（例えば、特許文献１等）。
【０００４】
しかしながら、このような携帯電話からの生活データのメール送信方法では、（イ）携帯電話の扱いに戸惑いを生じ、（ロ）携帯電話の充電を忘れたり、（ハ）携帯電話を置き忘れたり、（ニ）携帯電話の音が小さく、聴こえづらく、（ホ）携帯電話の表示画面が小さく、文字が読めない等の難点があった。
【０００５】
一方、従来から使用されているインターホン装置においては、単独で外部の家庭と連絡がとれないことから、資産があり、相談相手が少なく、判断力が鈍っている独居高齢者は、直接訪問することにより詐欺師にとって格好のターゲットになっていても防ぐことができないという難点があった。
【先行技術文献】
【特許文献】
【０００６】
【特許文献１】特開平１１−２１１５３２号公報
【発明の概要】
【発明が解決しようとする課題】
【０００７】
本発明は、上述の難点を解消するためになされたもので、独居高齢者の生活データを監視することで、独居高齢者が万一の突発的な疾病や怪我等で倒れた場合に、手遅れになるといった事態を未然に防止するとともに、離れて暮らしている家族や市役所の管理者等に迅速にかつ簡単に詐欺の疑いのある訪問者を報知することが可能な携帯電話機能と融合したインターホン装置を提供することを目的としている。
【課題を解決するための手段】
【０００８】
本発明は、住戸外に居る来訪者が住戸内に在室中の居住者を呼出すための呼出ボタン、来訪者が居住者との間で通話を成立させるための音声信号を送受信する子機マイク及び子機スピーカ、来訪者の映像を撮像して映像信号を生成するためのカメラを有する玄関子機と、来訪者による玄関子機からの呼出しに居住者が応答するための通話ボタン、居住者が来訪者との間で通話を成立させるための音声信号を送受信する親機マイク及び親機スピーカ、玄関子機のカメラにて生成された映像信号を出画するためのモニタを有する居室親機と、居室親機に接続され、通信ネットワークを経由した通信が可能な生活情報監視機とを備え、生活情報監視機は、住戸内における人物の動作検知、照明機器のオン／オフ検知、過多な水使用検知等の各種の生活データを検知するための生活情報監視センサを接続可能な監視機センサ用Ｉ／Ｆと、監視機センサ用Ｉ／Ｆにて受信される生活データを記憶するためのセンサ履歴メモリと、センサ履歴メモリに記憶された生活データを付加した送信メールを生成し、定期的なタイミングで通信ネットワークに送出するための監視機ＣＰＵとを備え、
生活情報監視機の監視機ＣＰＵは、監視機センサ用Ｉ／Ｆによる生活データの受信の有無を監視し、生活データの受信が一定時間以上なかったとき、居室親機の親機スピーカから緊急警報音及び生活情報監視機の応答ボタンの操作を促すメッセージをそれぞれ出力させると共に、居室親機のモニタに生活情報監視機の応答ボタンの操作を促すメッセージを表示させるための緊急信号を生成する機能と、応答ボタンの操作の有無を監視し、当該操作が一定時間以上なかったとき、緊急情報データを付加した送信メールを生成して通信ネットワークに送出するとともに、玄関子機の子機スピーカから緊急警報音を出力させる機能とを備え、
居室親機は、住戸内における火災やガス漏れ等の各種のセキュリティ異常データを検知するためのセキュリティセンサを接続可能な親機センサＩ／Ｆを有し、
生活情報監視機の監視機ＣＰＵは、居室親機の親機センサＩ／Ｆにて受信されるセキュリティ異常データを検出したとき、セキュリティ異常データを付加した送信メールを生成して通信ネットワークに送出するとともに、玄関子機の子機スピーカから緊急警報音を出力させる機能を有し、
居室親機は、玄関子機のカメラにて生成された映像信号を記憶するための録画メモリと、親機マイク及び親機スピーカにて送受信される音声信号を記憶するための録音メモリとを有し、生活情報監視機の監視機ＣＰＵは、居室親機を経由した玄関子機からの呼出しを検出したとき、呼出情報と居室親機の録画メモリから読出した映像信号を付加した送信メールを生成して通信ネットワークから所定の外部機器に送出する機能と、居室親機の録音メモリから読出した音声信号を通信ネットワークから外部機器に送出して出力させる機能とを備えるインターホン装置において、
居室親機は、録画、録音された映像信号及び音声信号を再生させるための再生ボタンを有し、
生活情報監視機は、応答ボタンの他に、事前登録された発信用登録名を親機用Ｉ／Ｆを介し居室親機へ送信して生活監視機Ｉ／Ｆを介してモニタに登録名情報を表示するための連絡ボタン、録画、録音された映像信号及び音声信号を再生させるための再生ボタン、モニタに表示された登録名を確認し、その登録名に対応した数字ボタン押操作で、監視機ＣＰＵによって数字に対応した登録番号に発信動作を行なって通話を行なうための数字ボタンを有するものである。
【発明の効果】
【０００９】
本発明のインターホン装置によれば、居室親機に通信ネットワークを経由した通信が可能な生活情報監視機を接続し、当該生活情報監視機に、住戸内における人物の動作検知、照明機器のオン／オフ検知、過多な水使用検知等の各種の生活データを検知するための生活情報監視センサを接続可能な監視機センサ用Ｉ／Ｆと、当該監視機センサ用Ｉ／Ｆにて受信される生活データを記憶するためのセンサ履歴メモリと、当該センサ履歴メモリに記憶された生活データを付加した送信メールを生成し、定期的なタイミングで通信ネットワークに送出するための監視機ＣＰＵとが搭載されていることから、独居高齢者の生活データを迅速にかつ簡単に監視することができ、したがって、独居高齢者が万一の突発的な疾病や怪我等で倒れた場合に、手遅れになるといった事態を未然に防止するとともに、住戸内の人物の声で元気さを確認し、また詐欺等の訪問者を通知することにより離れて暮らしている家族や市役所の管理者等に迅速にかつ簡単に報知することで迅速な対応を図ることができ、また携帯電話機能と融合したインターホン装置であり、当該インターホン装置を居室内の目立つ場所に設置し、常に電源を投入しておくことで、従来の携帯電話の充電のし忘れや置き忘れ等の難点を解消することができる。
【図面の簡単な説明】
【００１０】
【図１】本発明の一実施例におけるインターホン装置の全体構成を示すシステム説明図。
【図２】本発明のインターホン装置における玄関子機のブロック図。
【図３】本発明のインターホン装置における居室親機のブロック図。
【図４】本発明のインターホン装置における生活情報監視機のブロック図。
【図５】本発明におけるセンサ履歴メモリに記憶された生活データの一例を示す説明図。
【図６】本発明における外部機器のＰＣ端末に記録された複数の独居高齢者の生活データの一例を示す説明図。
【発明を実施するための形態】
【００１１】
以下、本発明のインターホン装置を適用した好ましい形態の実施例について、図面を参照して説明する。
【００１２】
図１〜図４において、本発明の一実施例におけるインターホン装置は、住戸外（屋外）の例えば住戸玄関に設置される玄関子機１と、住戸内に設置され第１の伝送路Ｌ１を経由して玄関子機１に接続される居室親機２と、住戸内に設置され第２の伝送路Ｌ２（図３参照）を経由して居室親機２に接続される生活情報監視機３とを備えている。
【００１３】
また、居室親機２には第３の伝送路Ｌ３を介して住戸内における火災やガス漏れ等の各種のセキュリティ異常データを検知するためのセキュリティセンサ６が接続されている。
【００１４】
さらに、生活情報監視機３には第４の伝送路Ｌ４を介して携帯電話通信網等の通信ネットワーク４が、無線または有線の第５の伝送路Ｌ５を介して住戸内における人物の動作検知、照明機器のオン／オフ検知、過多な水使用検知等の各種の生活データを検知するための生活情報監視センサ７が、第６の伝送路Ｌ６を介して後述する外部機器５にアドレス登録等を行うための設定用ＰＣ（パーソナルコンピュータ）８がそれぞれ接続されている。
【００１５】
また、当該通信ネットワーク４には有線または無線を介してＰＣ端末５ａや携帯端末５ｂ等の外部機器５が接続されている。なお、この実施例では、居室親機２と生活情報監視機３は一体型で構成されている。
【００１６】
玄関子機１は、呼出ボタン１００、カメラ１０１、子機マイク１０２及び子機スピーカ１０３を備えている。この玄関子機１において、呼出ボタン１００は、住戸玄関に居る来訪者が住戸内に在室中の居住者を呼出すために操作するものである。また、カメラ１０１は、被写体である例えば、呼出操作を行った来訪者の映像や住戸玄関の周囲環境下の映像を撮像して映像信号を生成するためのものであり、ＣＣＤ、ＣＭＯＳ等の各種カメラにて構成されている。さらに、子機マイク１０２及び子機スピーカ１０３は、来訪者が居住者との間で通話を成立させるための音声（送話音声、受話音声）信号を送受信するものである。
【００１７】
一方、居室親機２は、親機操作部２００、モニタ２０１、親機マイク２０２及び親機スピーカ２０３を備えている。この居室親機２において、親機操作部２００は、来訪者からの呼出しに居住者が応答して通話を開始するための応答操作、録画・録音された映像や音声を再生させる再生動作、および当該通話を終了するための終話操作を行うものであり、例えば、通話ボタン２００ａ、親機再生ボタン２００ｂおよびモニタ２０１の画面上に設けられるタッチパネルにて構成されている。
【００１８】
また、モニタ２０１は、玄関子機１のカメラ１０１にて生成される映像信号を出画するためのものであり、例えば、ＬＣＤ、有機ＥＬディスプレイ等の各種表示・出画媒体にて構成され、当該モニタ２０１は、通常、来訪者による呼出しを報知するための呼出報知機能も有している。
【００１９】
さらに、親機マイク２０２及び親機スピーカ２０３は、居住者が来訪者との間で通話を成立させるための音声（送話音声、受話音声）信号を送受信するものである。なお、親機スピーカ２０３は、通常、来訪者による呼出しを報知するための呼出報知機能も有している。
【００２０】
次に、生活情報監視機３は、監視機操作部３００を備えており、当該監視機操作部３００は、通常のインターホン機器の操作ボタンよりも大きくて操作性に優れた応答ボタン３００ａ、連絡ボタン３００ｂ、監視機再生ボタン３００ｃおよび数字ボタン３００ｄから構成されている。
【００２１】
次に、これらの玄関子機１、居室親機２及び生活情報監視機３の具体的な構成について、図２〜図４のブロック図を参照して説明する。
【００２２】
玄関子機１は、図２に示すように、前述の呼出ボタン１００、カメラ１０１、子機マイク１０２及び子機スピーカ１０３の他に、子機映像処理部１０４、子機通話回路１０５、子機ＣＰＵ１０６、子機Ｉ／Ｆ（インターフェース）１０７および子機電源部（不図示）を備えている。
【００２３】
この玄関子機１において、子機映像処理部１０４は、子機ＣＰＵ１０６によって制御され、カメラ１０１にて生成された映像信号についてＦＭ変調を行うためのものである。また、子機通話回路１０５は、子機ＣＰＵ１０６によって制御され、子機マイク１０２及び子機スピーカ１０３にて入出力される音声（送話音声、受話音声）信号について所定の信号処理を行うためのもの、例えば、変・復調や信号増幅を行うためのものである。
【００２４】
図示しない子機電源部は、子機ＣＰＵ１０６によって制御され、後述する居室親機の子機電源供給部（不図示）にて生成され第１の伝送路を経由して供給されてくる直流電源（待受電源、動作電源）を受電し、玄関子機１の構成各部に電源供給するものである。
【００２５】
子機ＣＰＵ１０６は、玄関子機１の構成各部を制御するためのものである。
【００２６】
また、子機Ｉ／Ｆ１０７は、子機映像処理部１０４から第１の伝送路Ｌ１への信号伝送路と、子機通話回路１０５及び第１の伝送路間の信号伝送路と、第１の伝送路Ｌ１から子機電源部（不図示）への電源供給路と、子機ＣＰＵ１０６及び第１の伝送路Ｌ１間の信号伝送路とをそれぞれ形成するためのものである。
【００２７】
一方、居室親機２は、図３に示すように、前述の親機操作部２００、モニタ２０１、親機マイク２０２及び親機スピーカ２０３の他に、親機映像処理部２０４、親機通話回路２０５、録画メモリ２０６、録音メモリ２０７、親機ＣＰＵ２０８、親機Ｉ／Ｆ２０９、生活監視機Ｉ／Ｆ２１０、親機センサＩ／Ｆ２１１、親機電源部（不図示）、子機電源供給部（不図示）および監視機電源供給部（不図示）を備えている。
【００２８】
この居室親機２において、親機映像処理部２０４は、親機ＣＰＵ２０８によって制御され、玄関子機１から第１の伝送路Ｌ１を経由して伝送されてくる映像信号についてＦＭ復調を行うためのものである。
【００２９】
親機通話回路２０５は、親機ＣＰＵ２０８によって制御され、親機マイク２０２及び親機スピーカ２０３にて入出力される音声（送話音声、受話音声）信号について所定の信号処理を行うためのもの、例えば、変・復調や信号増幅を行うためのものである。
【００３０】
録画メモリ２０６は、親機ＣＰＵ２０８によって制御され、玄関子機１のカメラ１０１にて生成された映像信号を記憶するためのものである。
【００３１】
録音メモリ２０７は、親機ＣＰＵ２０８によって制御され、親機マイク２０２及び親機スピーカ２０３にて送受信される音声信号を記憶するためのものである。
【００３２】
図示しない親機電源部は、親機ＣＰＵ２０８によって制御され、例えば、ＡＣ１００Ｖの商用電源を整流・平滑して生成された直流電源を、居室親機２の待受電源又は動作電源として電源供給するためのものである。
【００３３】
また、図示しない子機電源供給部は、親機ＣＰＵ２０８によって制御され、親機電源部にて生成された直流電源を、玄関子機１の待受電源又は動作電源として電源供給するためのものである。さらに、図示しない監視機電源供給部は、親機ＣＰＵ２０８によって制御され、親機電源部にて生成された直流電源を、生活情報監視機３の待受電源又は動作電源として電源供給するためのものである。
【００３４】
親機ＣＰＵ２０８は、居室親機２の構成各部を制御するためのものである。
【００３５】
親機Ｉ／Ｆ２０９は、第１の伝送路Ｌ１から親機映像処理部２０４への信号伝送路と、親機通話回路２０５及び第１の伝送路Ｌ１間の信号伝送路と、子機電源供給部（不図示）から第１の伝送路Ｌ１への電源供給路と、親機ＣＰＵ２０８及び第１の伝送路Ｌ１間の信号伝送路とをそれぞれ形成するためのものである。
【００３６】
生活監視機Ｉ／Ｆ２１０は、第２の伝送路Ｌ２からモニタ２０１への信号伝送路と、親機通話回路２０５及び第２の伝送路Ｌ２間の信号伝送路と、監視機電源供給部（不図示）から第２の伝送路Ｌ２への電源供給路と、親機ＣＰＵ２０８及び第２の伝送路Ｌ２間の信号伝送路とをそれぞれ形成するためのものである。
【００３７】
親機センサＩ／Ｆ２１１は、第３の伝送路Ｌ３から親機ＣＰＵ２０８への信号伝送路を形成するためのものである。
【００３８】
生活情報監視機３は、図４に示すように、前述の監視機操作部３００の他に、外部機器機能部３０１、センサ履歴メモリ３０２、監視機ＣＰＵ３０３、親機用Ｉ／Ｆ３０４、監視機センサ用Ｉ／Ｆ３０５、設定用Ｉ／Ｆ３０６、ネットワーク用Ｉ／Ｆ３０７および監視機電源部（不図示）を備えている。
【００３９】
この生活情報監視機３において、外部機器機能部３０１は、従来の携帯電話機能を有している。
【００４０】
センサ履歴メモリ３０２は、生活情報監視センサ７の信号受信履歴を記録するためのものであり、監視機ＣＰＵ３０３は、生活情報監視機３の構成各部を制御するためのものである。
【００４１】
親機用Ｉ／Ｆ３０４は、第２の伝送路Ｌ２からモニタ２０１への信号伝送路と、監視機ＣＰＵ３０３及び第２の伝送路Ｌ２間の信号伝送路と、監視機電源供給部（不図示）から第２の伝送路Ｌ１への電源供給路と、監視機ＣＰＵ３０３及び第２の伝送路Ｌ２間の信号伝送路とをそれぞれ形成するためのものである。
【００４２】
監視機センサ用Ｉ／Ｆ３０５は、第５の伝送路Ｌ５から監視機ＣＰＵ３０３への信号伝送路を形成するためのものであり、設定用Ｉ／Ｆ３０６は、第５の伝送路Ｌ６から監視機ＣＰＵ３０３への信号伝送路を形成するためのものであり、ネットワーク用Ｉ／Ｆ３０７は、第４の伝送路Ｌ４及び外部機器機能部３０１間の信号伝送路を形成するためのものである。
【００４３】
次に、このように構成された本発明の一実施例におけるインターホン装置の具体的な動作について説明する。
【００４４】
図２〜図４において、先ず、本発明のインターホン装置においては、当該インターホン装置を住戸の居室内に設置した後、設定用Ｉ／Ｆ３０６に接続された設定用ＰＣ８を利用して、次の初期設定を行なう。第１に、外部機器機能部３０１に、数件の登録名、メールアドレスおよび必要により携帯番号を登録する。この実施例においては、数件の登録のうち最大３つを独居高齢者からの発信用および緊急時のメール発信先として設定する。第２に、定期的に、センサ履歴メモリ３０２に記録された生活データを付加した送信メールが送られるアドレスを１件設定する。第３に、玄関子機１からの呼び出しがあった場合に、メール送信するアドレスを１件設定する。なお、これらの設定は、市役所等における個人情報の守秘義務が課せられた特定の管理者によって行われる。
【００４５】
［第１の動作例］
先ず、生活情報監視機３に生活データを検知するための生活情報監視センサ７を接続されている場合においては、生活情報監視センサ７が反応すると、当該生活情報監視センサ７の反応に応じて生活データが監視機センサ用Ｉ／Ｆ３０５を介して監視機ＣＰＵ３０３へ送信され、当該生活データが図５に示すように日時情報と共にセンサ履歴メモリ３０２に保存される。
【００４６】
また、これと共に生活データを受信した監視機ＣＰＵ３０３は、当該センサ履歴メモリ３０２に記憶された生活データを付加した送信メールを生成し、当該送信メールを定期的なタイミング（例えば１日に１回、所定の時間）で、通信ネットワーク４を介して外部機器機能部３０１によって事前設定された市役所等の管理者（以下、「生活データ監視者」という。）のアドレス（例えば、外部機器５のＰＣ端末５ａのアドレス）に対して送信する。
【００４７】
当該送信メールを受信した生活データ監視者は、一日に１回送信されてくる図５に示すような生活データの内容をチェックすることで、独居高齢者の１日の生活異常を確認することができる。例えば、図５に示すように、１日の最初のセンサ反応がいつもより遅いとか、生活情報監視センサ７の反応数がいつもより少ないとか、外出した形跡は見られるが帰宅後の反応がないとか等の生活データをチェックすることで、独居高齢者の生活異常を早期に確認することができる。
【００４８】
ここで、複数の独居高齢者からの生活データを外部機器５としてのＰＣ端末５ａのアドレスに送信した場合には、図６に示すように、ＰＣ端末５ａに複数の独居高齢者の生活データを記録することができる。
［第２動作例］
一方、監視機ＣＰＵ３０３は、監視機センサ用Ｉ／Ｆ３０５による生活データの受信の有無を監視しており、当該生活データの受信が一定時間（例えば１５時間）以上なかったとき、緊急信号が生成され、当該緊急信号が居室親機２の親機ＣＰＵ２０８へ送信される。
【００４９】
生活監視機Ｉ／Ｆ２１０を介して緊急信号を受信した親機ＣＰＵ２０８は、あらかじめ録音メモリ２０７に録音されている緊急警報音と生活情報監視機３の応答ボタン３００ａを押すことを促すメッセージ、例えば『ピーピーピー  応答ボタンを押して下さい』というメッセージを親機スピーカ２０３から鳴動させる。さらに、あらかじめ録画メモリ２０６に記録されている生活情報監視機３の応答ボタン３００ａを押すことを促すメッセージ、例えば『応答ボタンを押して下さい』というメッセージをモニタ２０１に表示させる。
【００５０】
ここで、独居高齢者が親機スピーカ２０３からの音声鳴動に応じて応答ボタン３００ａを押すと、居室親機２の親機スピーカ２０３からの鳴動音が停止し、モニタ２０１の表示も停止する。
【００５１】
しかし、独居高齢者が親機スピーカ２０３からの音声鳴動に応じて応答ボタン３００ａを所定時間（例えば１時間）、押さなかった場合は、生活情報監視機３の監視機ＣＰＵ３０３は、緊急時確定信号を親機用Ｉ／Ｆ３０４を介して居室親機２へ送信する。
【００５２】
生活監視機Ｉ／Ｆ２１０を介して緊急時確定信号を受信した親機ＣＰＵ２０８は、当該緊急時確定信号を親機Ｉ／Ｆ２０９を介して玄関子機１の子機ＣＰＵ１０６へ送信する。これにより、子機スピーカ１０３から緊急時を告げる音声メッセージ、例えば『緊急です。対応をお願いします』というメッセージが鳴動する。
【００５３】
さらに、監視機ＣＰＵ３０３は、外部機器機能部３０１から、緊急情報データを付加した送信メールを通信ネットワーク４を介して事前登録された最大３つの登録者のアドレスに対して緊急時を告げるメール、例えば『緊急時です。確認をお願いします』というメールを自動送信する。
【００５４】
なお、玄関子機１からの鳴動およびメールの送信によって緊急であることを知った側から所定の対応があるまで、子機スピーカ１０３からの音声鳴動が継続し、モニタ２０１の表示も継続する。
［第３の動作例］
次に、居室親機２の親機センサＩ／Ｆ２１１にセキュリティセンサ６が接続されている場合において、当該セキュリティセンサ６が反応すると、例えば、緊急度の高い火災センサやガスセンサが反応すると危険信号が親機センサＩ／Ｆ２１１を介して親機ＣＰＵ２０８へ送信される。
【００５５】
危険信号を受信した親機ＣＰＵ２０８は、録音メモリ２０７に記録されている危険を通知する音声メッセージ、例えば『火事です！火事です！』という音声メッセージを親機スピーカ２０３から鳴動させると共に録画メモリ２０６に記録されている危険を通知する情報をモニタ２０１に表示する。
【００５６】
一方、親機ＣＰＵ２０８は、危険信号を生活監視機Ｉ／Ｆ２１０を介して生活情報監視機３へ送信し、親機用Ｉ／Ｆ３０４を介して危険信号を受信した監視機ＣＰＵ３０３は、外部機器機能部３０１から、事前登録された最大３つの登録者のアドレスに対して緊急時を告げるメール、例えば『緊急時です。確認をお願いします』というメールを自動送信する。
【００５７】
さらに、親機ＣＰＵ２０８は、親機Ｉ／Ｆ２０９を介して緊急時を告げる音声メッセージ、例えば『緊急です。対応をお願いします』という音声メッセージを玄関子機１へ送信する。子機Ｉ／Ｆ１０７を介して音声メッセージを受信した子機ＣＰＵ１０６は、子機スピーカ１０３から鳴動させる処理を行う。
【００５８】
なお、玄関子機１からの鳴動およびメールによって緊急であることを知った側の対応があるまで、音声鳴動ならびにモニタでの表示は継続する。
［第４の動作例］
居室親機２に玄関子機１のカメラ１０１にて生成された映像信号を記憶するための録画メモリ２０６と、親機マイク２０２及び親機スピーカ２０３にて送受信される音声信号を記憶するための録音メモリ２０７とを搭載した場合において、住戸玄関に居る来訪者が住戸内に在室中の独居高齢者（居住者）を呼出すにあたり、図１、図２に示す玄関子機１の呼出ボタン１００を使用して所定の呼出操作を行うと、この操作を検出した子機ＣＰＵ１０６にて呼出信号が生成される。また、子機ＣＰＵ１０６にて生成された呼出信号は、子機Ｉ／Ｆ１０７、第１の伝送路Ｌ１、図３に示す居室親機２の親機Ｉ／Ｆ２０９を介して親機ＣＰＵ２０８に伝送される。
【００５９】
居室親機２の親機ＣＰＵ２０８は、第１の伝送路Ｌ１を介して玄関子機１から伝送されてきた呼出信号をもとに来訪者による呼出しがあることを検出し、その旨の呼出報知について例えば、親機スピーカ２０３から呼出音や音声メッセージ等を出力させ、モニタ２０１に文字メッセージや絵データ等を表示させる。また、親機ＣＰＵ２０８は、モニタ２０１を出画可能な状態に制御するとともに、親機映像処理部２０４及び録画メモリ２０６の動作を開始させる。さらに、親機ＣＰＵ２０８は、図示しない親機電源供給部から第１の伝送路Ｌ１を介して玄関子機１の子機電源供給部に動作電源を供給することで、カメラ１０１を撮像可能な状態に制御するとともに、子機映像処理部１０４の動作を開始させる。
【００６０】
ここで、玄関子機１のカメラ１０１にて撮像された来訪者の映像信号は、子機映像処理部１０４、子機Ｉ／Ｆ１０７、第１の伝送路Ｌ１、居室親機２の親機Ｉ／Ｆ２０９、親機映像処理部２０４を介して録画メモリ２０６に伝送され、録画されるとともに、この録画メモリ２０６を介してモニタ２０１において、来訪者のリアルタイムの映像として出画される。したがって、独居高齢者（居住者）によれば、来訪者からの呼出しがあることを、居室親機２のモニタ２０１の出画映像とともに確認することができる
また、居室親機２の親機ＣＰＵ２０８は、来訪者からの呼出しがある旨の呼出情報と、録画メモリ２０６から読み出した映像信号を含む来訪者信号を生成し、生活監視機Ｉ／Ｆ２１０、第２の伝送路Ｌ２、図４に示す生活情報監視機３の親機用Ｉ／Ｆ３０４を介して監視機ＣＰＵ３０３に送出する。
【００６１】
生活情報監視機３の監視機ＣＰＵ３０３は、第２の伝送路Ｌ２を介して居室親機２から伝送されてきた来訪者信号を受信すると、外部機器機能部３０１にて事前登録されたアドレスに、例えば、『来訪者がありました』という呼出情報と、居室親機２の親機の録画メモリ２０６から読み出した映像信号を付加した送信メールを生成し、ネットワーク用Ｉ／Ｆ３０７、第４の伝送路Ｌ４、通信ネットワーク４を介して自動送信する。
【００６２】
ここで、外部機器５のうち事前登録されたアドレスに該当する例えば、携帯端末５ｂを所持している生活データ監視者においては、生活情報監視機３から伝送されてきた送信メールを受信することで、例えば、『来訪者がありました』という呼出情報を出力させることや映像信号を出画させることができる。
【００６３】
次に、来訪者からの呼出しに応答するにあたって、独居高齢者（居住者）が居室親機２の親機操作部２００を構成する通話ボタン２００ａを使用して所定の応答操作を行うと、この操作を検出した親機ＣＰＵ２０８及び玄関子機１の子機ＣＰＵ１０６の制御により、録音メモリ２０７の動作が開始されるとともに、独居高齢者（居住者）によって使用される親機マイク２０２から親機通話回路２０５、親機Ｉ／Ｆ２０９、第１の伝送路Ｌ１、子機Ｉ／Ｆ１０７、子機通話回路１０５を介して来訪者によって使用される子機スピーカ１０３までの通話ラインと、来訪者によって使用される子機マイク１０２から子機通話回路１０５、子機Ｉ／Ｆ１０７、第１の伝送路Ｌ１、親機Ｉ／Ｆ２０９、親機通話回路２０５を介して独居高齢者（居住者）によって使用される親機スピーカ２０３までの通話ラインとがそれぞれ形成され、音声信号を送受信することで通話が成立する。
【００６４】
なお、居室親機２の録音メモリ２０７によれば、親機マイク２０２及び親機スピーカ２０３にて送受信される音声信号について、親機通話回路２０５を介し通話記録として録音することができる。
【００６５】
ここで、前述の携帯端末５ｂを所持している生活データ監視者が、来訪者と独居高齢者（居住者）との通話内容を確認する場合、通信ネットワーク４を介して生活情報監視機３に発信を行い、独居高齢者（居住者）との通話中に居室親機２の親機操作部２００を構成する再生ボタン２００ｂもしくは生活情報監視機３の監視機操作部３００を構成する再生ボタン３００ｃを押下してもらうことで、この操作を検出した親機ＣＰＵ２０８の制御により録音メモリ２０７から読み出される通話記録を確認することが可能となる。
【００６６】
なお、以上の本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【００６７】
例えば、生活情報監視機３の外部機器機能部３０１に、外部機器５としての携帯端末５ｂからの発信による着信・通話を行なう機能を搭載した場合には、外部機器機能部３０１からの音声信号が親機用Ｉ／Ｆ３０４を介して居室親機２へ送信され、居室親機２の親機マイク２０２からの音声信号が生活監視機Ｉ／Ｆ２１０を介して生活情報監視機３に送信されることで、居室親機２の親機マイク２０２および親機スピーカ２０３と、携帯端末５ｂとの通話が可能となる。
【００６８】
なお、音声信号の着信時には、生活情報監視機３の応答ボタン３００ａを押すことで生活情報監視機３との間で通話することもできる。この場合、居室親機２のモニタ２０１には、例えば『応答  を押して下さい』というメッセージと事前登録者の場合はその事前登録者情報が表示される。さらに、居室親機２の親機スピーカ２０３から、例えば『着信があります。応答ボタンを押して下さい』という音声で着信が報知される。
【００６９】
事前登録者以外からの着信の場合は、モニタ２０１に番号が、例えば『応答ボタンを押して下さい』というメッセージと共に表示される。
【００７０】
同様に、生活情報監視機３の外部機器機能部３０１によって、外部電話からのメールを受信し、同様の処理にて居室親機２のモニタ２０１に表示させることができる。
【００７１】
この場合も前記と同様に、メール着信が事前登録されているアドレスからのメール着信であった場合は、事前登録者情報が親機用Ｉ／Ｆ３０４を介して居室親機２に送信され、モニタ２０１に、例えば『応答  を押して下さい』というメッセージと共に表示される。事前登録者以外からの着信の場合は、モニタ２０１に番号が『応答ボタンを押して下さい』というメッセージと共に表示される。
【００７２】
独居高齢者が事前登録された番号に発信する場合は、独居高齢者が連絡ボタン３００ｂを押すと、監視機ＣＰＵ３０３は事前登録された最大３つの発信用登録名を親機用Ｉ／Ｆ３０４を介し居室親機２へ送信する。
【００７３】
最大３つの登録名情報を受信した居室親機２は、生活監視機Ｉ／Ｆ２１０を介してモニタ２０１に登録名情報を大きくわかりやすく表示する。
【００７４】
独居高齢者は、モニタ２０１に表示された登録名を確認し、その登録名に対応した１・２・３の数字ボタン３００ｄを押すと、監視機ＣＰＵ３０３は数字に対応した登録番号に外部機器機能部３０１から発信動作を行ない、通話を行なうことができる。
【符号の説明】
【００７５】
１・・玄関子機
１００・・・呼出ボタン
１０１・・・カメラ
１０２・・・子機マイク
１０３・・・子機スピーカ
２・・・居室親機
２００ａ・・・通話ボタン
２００ｂ・・・再生ボタン
２０１・・・モニタ
２０２・・・親機マイク
２０３・・・親機スピーカ
２０６・・・録画メモリ
２０７・・・録音メモリ
２１０・・・生活監視機Ｉ／Ｆ
２１１・・・親機センサＩ／Ｆ
３・・・生活情報監視機
３００ａ・・・応答ボタン
３００ｂ・・・連絡ボタン
３００ｃ・・・再生ボタン
３００ｄ・・・数字ボタン
３０２・・・センサ履歴メモリ
３０３・・・監視機ＣＰＵ
３０４・・・親機用Ｉ／Ｆ
３０５・・・監視機センサ用Ｉ／Ｆ
４・・・通信ネットワーク
５・・・外部機器
７・・・活情報監視センサ
８・・・セキュリティセンサ
【図１】
0005846990.tif 000002
【図２】
0005846990.tif 000003
【図３】
0005846990.tif 000004
【図４】
0005846990.tif 000005
【図５】
0005846990.tif 000006
【図６】
0005846990.tif 000007